(57)【要約】【課題】僅かな開閉動作であっても十分な誘導起電力を得ることができる携帯電子機器を提供することである。【解決手段】第１の位置状態において、永久磁石１５とコイル１６が近接状態となり、第１の位置状態から前記第２の位置状態となるのに従い、第１筐体２の永久磁石１５と第２筐体３のコイルが近接状態から離間状態となる。【選択図】図２
2011049903.tif 000002
【特許請求の範囲】
【請求項１】
永久磁石が配設された第１の筐体と、
コイルが配設され、前記第１の筐体と相対移動可能な第２の筐体と、
前記第１の筐体又は前記第２の筐体内に配設され、前記永久磁石と前記コイルとの相対移動に伴う電磁誘導によって発電された電力を蓄電するバッテリ部と、を有し、
前記第１の筐体と第２の筐体は第１の位置状態と第２の位置状態との間で相対移動可能であり、
前記第１の位置状態において、前記永久磁石と前記コイルが近接状態となり、前記第１の位置状態から前記第２の位置状態となるのに従い、前記第１の筐体の前記永久磁石と前記第２の筐体の前記コイルが前記近接状態から離間状態となる
携帯電子機器。
【請求項２】
前記第１の筐体と前記第２の筐体は蝶番状のヒンジ部によって連結されており、
前記第１の筐体の前記ヒンジ部と対向する縁辺側にはスピーカが配設され、
前記第２の筐体の前記ヒンジ部と対向する縁辺側にはマイクロフォンが配設され、
前記スピーカの近傍に前記永久磁石が配設され、
前記マイクロフォンの近傍に前記コイルが配設されている
請求項１に記載の携帯電子機器。
【請求項３】
前記第１の筐体及び前記第２の筐体は、摺動によって前記第１の位置状態と前記第２の位置状態をとり、
前記第１の筐体の摺動方向の一端側に前記永久磁石が配設され、
前記第２の筐体の摺動方向の一端側で、前記第１の筐体において前記永久磁石が配設されている側と同一の側に前記コイルが配設されており、
前記永久磁石は、前記第１の筐体と前記第２の筐体とが接合している面側に配設され、
前記コイルは、前記第１の筐体と前記第２の筐体とが接合している面側に配設されている
請求項１に記載の携帯電子機器。
【請求項４】
前記永久磁石は、平形形状であって、磁力線を一方の方向に集中させるコの字形のヨークを有する
請求項２又は３いずれか１項に記載の携帯電子機器。
【請求項５】
制御部は、前記コイルに発生する起電力を検出して、前記第１の位置状態であるか前記第２の位置状態であるかを検出する
請求項２〜４いずれか１項に記載の携帯電子機器。
【請求項６】
マイクロフォン又はスピーカに組み込まれているコイル又は永久磁石のうち少なくともいずれか１つは、前記コイル又は前記永久磁石として作用する
請求項２〜５いずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１には、開閉動作をスライド動作に変換する開閉／スライド変換手段を設け、この開閉／スライド変換手段のスライドにより磁石とコイルとを相対移動させてコイル内に起電力を誘起させて発電する、折り畳み式携帯電子機器が開示されている。
【先行技術文献】
【特許文献】
【０００３】
【特許文献１】特開２００７―２３５５６２号公報
【発明の概要】
【発明が解決しようとする課題】
【０００４】
しかしながら、特許文献１に記載のヒンジ部の回動と連動した磁石の相対移動では、開閉動作を完全に行わないと十分な誘導起電力を得ることができない。
【０００５】
本発明の目的は、僅かな開閉動作であっても十分な誘導起電力を得ることができる携帯電子機器を提供することである。
【課題を解決するための手段】
【０００６】
本発明の携帯電子機器は、永久磁石が配設された第１の筐体と、コイルが配設され、前記第１の筐体と相対移動可能な第２の筐体と、前記第１の筐体又は前記第２の筐体内に配設され、前記永久磁石と前記コイルとの相対移動に伴う電磁誘導によって発電された電力を蓄電するバッテリ部と、を有し、前記第１の筐体と第２の筐体は第１の位置状態と第２の位置状態との間で相対移動可能であり、前記第１の位置状態において、前記永久磁石と前記コイルが近接状態となり、前記第１の位置状態から前記第２の位置状態となるのに従い、前記第１の筐体の前記永久磁石と前記第２の筐体のコイルが前記近接状態から離間状態となる。
【０００７】
好適には、前記第１の筐体と前記第２の筐体は蝶番状のヒンジ部によって連結されており、前記第１の筐体の前記ヒンジ部と対向する縁辺側にはスピーカが配設され、前記第２の筐体の前記ヒンジ部と対向する縁辺側にはマイクロフォンが配設され、前記スピーカの近傍に前記永久磁石が配設され、前記マイクロフォンの近傍に前記コイルが配設されている。
【０００８】
好適には、前記第１の筐体及び前記第２の筐体は、摺動によって前記第１の位置状態と前記第２の位置状態をとり、前記第１の筐体の摺動方向の一端側に前記永久磁石が配設され、前記第２の筐体の摺動方向の一端側で、前記第１の筐体において前記永久磁石が配設されている側と同一の側に前記コイルが配設されており、前記永久磁石は、前記第１の筐体と前記第２の筐体とが接合している面側に配設され、前記コイルは、前記第１の筐体と前記第２の筐体とが接合している面側に配設されている。
【０００９】
好適には、前記永久磁石は、平形形状であって、磁力線を一方の方向に集中させるコの字形のヨークを有する。
【００１０】
好適には、制御部は、前記コイルに発生する起電力を検出して、前記第１の位置状態であるか前記第２の位置状態であるかを検出する。
【００１１】
好適には、マイクロフォン又はスピーカに組み込まれているコイル又は永久磁石のうち少なくともいずれか１つは、前記コイル又は前記永久磁石として作用する。
【発明の効果】
【００１２】
本発明によると、僅かな開閉動作であっても十分な誘導起電力を得ることができる携帯電子機器を提供することができる。
【図面の簡単な説明】
【００１３】
【図１】本発明の実施形態に係る携帯電話機の外観を開状態で示す斜視図である。
【図２】永久磁石及びコイルの働き及び位置の説明図である。
【図３】図１及び図２の携帯電話機の信号処理系を示すブロック図である。
【図４】バッテリ部とコイルとの間の回路構成の説明図である。
【図５】スライド式の携帯電話機へ本発明を適用した第１の変形例の説明図である。
【図６】第２の変形例の説明図である。
【図７】第４の変形例の説明図である。
【発明を実施するための形態】
【００１４】
図１は、本発明の実施形態に係る携帯電話機１の外観を開状態で示す斜視図である。
【００１５】
携帯電話機１は、折り畳み式として構成されている。
携帯電話機１は第１筐体２及び第２筐体３とで構成されている。
第１筐体２は、第２筐体３と対向する部分を構成する第１筐体フロントケース４と、第２筐体３とは反対側部分を構成する第１筐体リアケース５とを有している。
第２筐体３は、第１筐体２と対向する部分を構成する第２筐体フロントケース６と、第１筐体２とは反対側部分を構成する第２筐体リアケース７とを有している。
【００１６】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。
第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１７】
なお、方向を示すときは、第１筐体リアケース５から第１筐体フロントケース４に向かう方向を表面方向（図１においては、紙面手前の方向）といい、第１筐体フロントケース４から第１筐体リアケース５に向かう方向を裏面方向（図１においては、紙面奥手の方向）という。
同様に第２筐体リアケース７から第２筐体フロントケース６に向かう方向を表面方向（図１においては、紙面手前の方向）といい、第２筐体フロントケース６から第２筐体リアケース７に向かう方向を裏面方向（図１においては、紙面奥手の方向）という。
【００１８】
また、第１筐体２においてヒンジ部９に向かう方向を連結部方向（図１の第１筐体２においては、紙面下の方向）といい、その逆を連結部反対方向（図１の第１筐体２においては、紙面上方向）という。
同様に、第２筐体３においても、ヒンジ部９に向かう方向を連結部方向（図１の第２筐体３においては、紙面上の方向）といい、その逆を連結部反対方向（図１の第２筐体３においては、紙面下の方向）という。
【００１９】
さらに、図１のように第１筐体２を上にし、第２筐体３を下にした状態とした時に、右側に来る側面を右側面１１とし、左側に来る側面を左側面１２という。
そして、右側面１１側に向かう方向を右側面方向（図１においては、紙面右の方向）といい、左側面１２面に向かう方向を左側面方向（図１においては、紙面左の方向）という。
【００２０】
図１のように、第１筐体フロントケース４には表示部８が配置されている。
この表示部８は、携帯電話機１の状態、ユーザの操作内容、発信先電話番号、電子メールの内容の表示、ゲーム画面等の様々な情報を表示するためのものである。
【００２１】
また、図１のように、第２筐体フロントケース６の表面方向には、入力部１０が配置されている。この入力部１０をユーザが操作することによって、携帯電話機１に命令の入力、文字の入力等がなされる。
【００２２】
第１筐体２のヒンジ部９と反対側かつ表面側の位置には、スピーカ１３が配置されている。
このスピーカ１３は、通話時に通話の相手方の音声を出力する。
さらに、このスピーカ１３は、携帯電話機１から出力される通話の相手方の音声以外の音声も出力してもよい。
【００２３】
第２１筐体のヒンジ部９と反対側かつ表面側の位置にはマイクロフォン１４が配置されている。
このマイクロフォン１４は、通話時にユーザの音声を電気信号に変換する。
さらに、このマイクロフォン１４は、通話時以外に音声を電気信号に変換する場合に携帯電話機１に入力されるユーザの音声以外の音声を電気信号に変換してもよい。
【００２４】
図２は、永久磁石１５及びコイル１６の働き及び位置の説明図である。
【００２５】
図２（ａ）のように、第１筐体２のヒンジ部９と反対側かつ表面側の位置には、永久磁石１５が配置されている。
永久磁石１５とスピーカ１３とは近接して配置されている。
また、図２（ａ）の様に、第２筐体３のヒンジ部９と反対側かつ表面側の位置には、コイル１６が配置されている。
コイル１６とマイクロフォン１４とは近接して配置されている。
なお、永久磁石１５及びコイル１６の位置は、図２（ａ）の位置に限定されるわけではなく、たとえばヒンジ部９側の位置に配置されていてもよいし、第１筐体２及び第２筐体３の中間位置等に配置されていてもよい。
つまり、携帯電話機１の開状態と閉状態において、永久磁石１５とコイル１６を近接・離間させられる位置であればどのような位置であってもよい。
もっとも、図２（ａ）のように、ヒンジ部９から離間した位置の方が、第１筐体２と第２筐体の開角度が小さくても、永久磁石１５とコイル１６との相対的位置を大きく変えられるのでより有利である。
【００２６】
図２（ｂ）のように、閉状態においては永久磁石１５とコイル１６とは近接して配置されることになる。
このような閉状態から開状態に変化させると、コイル１６内を貫く永久磁石１５によって発生させられている磁力線の本数が変化する。
これによって、コイル１６には起電力が発生する。
逆に、開状態から閉状態とする場合にも、起電力が発生する。
なお、閉状態から開状態に変化させた場合に発生する起電力と、開状態から閉状態に変化させた場合に発生する起電力とは、反対向きに発生している。
【００２７】
以上のような方法によって、携帯電話機１の開閉動作によって起電力を発生させる。そして、発生した電力を後述するバッテリ部６０に蓄電することができる。
バッテリ部６０に蓄えられた電力は、携帯電話機１の通話やその他の各種機能を作動させることに使用することができる。
携帯電話機１の開閉動作は、どのような場合においても可能であるから、充電機がない場合や電力が供給されない環境下であっても携帯電話機１のバッテリ部６０に充電できる。
このことは、災害時で電力供給が停止された状態においては特に威力を発揮する。
また、太陽電池パネルを携帯電話機１に設けることでは、地下や夜間などでは用いることができないが、本発明においてはそのような制約はない。
【００２８】
また、携帯電話機１を閉状態から開状態に変化させた場合と、閉状態から開状態に変化させた場合とでは、コイル１６に発生する起電力は逆となるのであるから、この起電力を検出することによって携帯電話機１が開状態であるのか閉状態であるのかを検出することができる。
このように、発電機能のための永久磁石１５とコイル１６とに、開閉検出機能を持たせることができる。
そして、永久磁石１５とコイル１６とに、開閉検出機能を持たせることができるのであるから、従来開閉検出のために用いられていたホール素子を設ける必要がなくなる。
【００２９】
永久磁石１５は、コイル１６と近接する側にのみ磁力線が発生する方が都合がよいのであるから、一方面側にのみ磁力を発生させるコの字型のヨーク６１を有しているとより好適である（図４参照のこと）。
このようにすることによって、より強い磁力を発生させることができるのであるから、発生する起電力も多くすることができる。
また、永久磁石の形状も、図２のように、平形形状としてより多くの磁力線が発生するようにした方が好適である。
【００３０】
図３は、図１及び図２の携帯電話機１の信号処理系を示すブロック図である。
【００３１】
図３に示されるように、携帯電話機１は、制御・処理の中枢である制御部５７と、電源制御部５０と、通信部５１と、操作部５２と、音声入出力部５３と、表示部８と、記憶部５６のそれぞれが、アドレス、データ、コントロールのためのラインが複数本からなるシステムバス５８に共通に接続され、構成される。
【００３２】
電源制御部５０は、携帯電話機１が携帯して使用されている場合には、携帯電話機１内の、表示部８及び制御部５７等が実装される回路基板等への電力の供給を制御している。
また、充電時には充電回路を制御して、バッテリ部６０への充電開始及び停止、並びに充電の速度等を制御している。
本発明では、電源制御部５０は、コイル１６に発生した電力をバッテリ部６０に供給する役割も有している。
また、電源制御部５０は、コイル１６に発生した起電力を検出して、その値情報信号を制御部５７に出力する。
そして制御部５７は、起電力の方向によって携帯電話機１が開状態であるのか、それとも閉状態にあるのかを判断する。
【００３３】
通信部５１は、無線通信システムを捕捉し、通信ネットワークに接続される基地局との間で無線通信を行い、各種データの送受信を行う。各種データとは、Ｗｅｂ上のダウンロードサイトのからダウンロードされるファイルのデータ、音声通話時の音声データ、メール送受信時のメールデータ、ウェブ閲覧時のウェブページデータ、等である。
【００３４】
操作部５２は、入力部１０及びその他の部分から入力されるユーザの指示を受け付ける。
入力部１０には、例えば、電源キー、通話キー、数字キー、文字キー、方向キー、決定キー、発信キー、ファンクションキーなど、各種の機能が割り当てられたキーが配置されている。
そして、これらのキーがユーザによって操作された場合に、その操作内容に対応する信号を発生し、これをユーザの指示として制御部５７に出力する。
【００３５】
音声入出力部５３は、スピーカ１３から出力される音声信号やマイクロフォン１４において入力される音声信号の入出力処理を行う。
すなわち、音声入出力部５３は、マイクロフォン１４から入力された音声を増幅し、アナログ／デジタル変換を行い、更に符号化等の信号処理を施し、デジタルの音声データに変換して制御部５７に出力する。
また、音声入出力部５３は、制御部５７から供給される音声データに復号化、デジタル／アナログ変換、増幅等の信号処理を施し、アナログの音声信号に変換してスピーカ１３に出力する。
【００３６】
表示部８は、例えばＬＣＤ（液晶ディスプレイ）やＯＬＥＤ（Organic light-emitting diode（有機ＥＬ））を用いて構成されており、制御部５７から供給される映像信号に応じた画像を表示する。
表示部８は、例えば、通信部５１による無線発信時における発信先の電話番号、着信時における発信元の電話番号、受信メールや送信メールの内容、日付、時刻、電池残量、発信成否、待ち受け画面等を表示する。
【００３７】
記憶部５６では、携帯電話機１の各種処理に利用される各種データを記憶する。記憶部５６は、例えば制御部５７が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
なお、記憶部５６は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００３８】
制御部５７は、携帯電話機１の全体的な動作を統括的に制御する。
すなわち、制御部５７は、携帯電話機１の各種処理（回線交換網を介して行われる音声通話、電子メールの作成と送受信、インターネットのＷｅｂ上のダウンロードサイトの閲覧など）が操作部５２の操作に応じて適切な手順で実行されるように、上述した各ブロックの動作（通信部５１における信号の送受信、表示部８における画像の表示等）を制御する。
さらに、制御部５７は、記憶部５６に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部５７は、記憶部５６に格納されるオペレーティングシステムやアプリケーションプログラム等のプログラムから命令コードを順次受け取って処理を実行する。
【００３９】
図４は、バッテリ部６０とコイル１６との間の回路構成の説明図である。
【００４０】
永久磁石１５の近接・離間によってコイル１６には起電力が生ずる。
そして、発生した起電力は、コイル側コンデンサ１７に一時的に蓄えられる。これは、起電力は大きく変化するため、平準化するためである。
第１コンデンサ１７に蓄えられた電力、及び、電磁誘導によって発生した起電力は、順方向第１ダイオード１９及び順方向第２ダイオード２０を通じてバッテリ側コンデンサ１８に蓄えられる。
また、逆方向に起電力が生じた場合には、逆方向第１ダイオード２０及び逆方向第２ダイオード２２を通じてバッテリ側コンデンサ１８に蓄えられる。
この順方向第１ダイオード１９、順方向第２ダイオード２０、逆方向第１ダイオード２０及び逆方向第２ダイオード２２によって、交流的に発生する起電力を直流電力に変換している。
バッテリ側コンデンサ１８に蓄えられた電力の電圧を電源制御部５０は検出する。そして、電源制御部５０は、バッテリ側コンデンサ１８に蓄えられた電力が一定程度以上に達した段階で、充電制御回路２３に充電指令を出す。
充電制御回路２３は、バッテリ側コンデンサ１８とバッテリ６０とを直結することによって、バッテリ側コンデンサ１８に蓄えられた電力をバッテリ６０に充電している。
【００４１】
＜第１の変形例＞
以上説明してきた本発明の実施態様は、折り畳み式の携帯電話機１であった。
しかし、本発明は折り畳み式以外の携帯電話機１にも適用可能である。
つまり、可動部分のある携帯電話機１であればどのようなものに対しても適用可能である。
【００４２】
図５は、スライド式の携帯電話機１へ本発明を適用した第１の変形例の説明図である。
【００４３】
図５の様に、第１筐体２と第２の筐体は縦方向にスライド（摺動）する。永久磁石１５は、第２筐体３と接する側かつ摺動方向に摺動させて開状態としたときに第２筐体３側となる位置に配置される。
コイル１６は、第１筐体２と接する側かつ摺動方向に摺動させて開状態としたときに第１筐体２側となる位置に配置される。
このように配置したことによって、スライドして開閉状態にすることによってコイル１６に起電力が発生し、バッテリ部６０に充電することができる。
【００４４】
＜第２の変形例＞
図６は、第２の変形例の説明図である。
【００４５】
図６のように、第１筐体２と第２筐体３とが、回転式に相対移動可能なものであっても、第１筐体２と第２筐体３との対向面に永久磁石１５及びコイル１６を配置可能である。
以上のように、第１筐体２と第２筐体３とが相対移動可能であればどのようなものであっても本発明は適用可能である。
【００４６】
＜第３の変形例＞
ところで、スピーカ１３及びマイクロフォン１４は、永久磁石及びコイルから構成されている。
したがって、スピーカ１３又はマイクロフォン１４の永久磁石を本発明の永久磁石１５として用いることも可能である。
また、スピーカ１３又はマイクロフォン１４のコイルを、本発明のコイル１６として用いることも可能である。
さらに、スピーカ１３又はマイクロフォン１４の永久磁石又はコイルのいずれか一方を、本発明のコイル１６又は永久磁石１５の一部として用いることも可能である。
このようにすると、スピーカ１３又はマイクロフォン１４の部品を発電目的にも使用できるため、１つの部品が２つの機能を有することになり部品点数の節約、設置スペースの節約となる。
【００４７】
＜第４の変形例＞
以上の実施例、変形例では、永久磁石１５は携帯電話機１に配設されている物のみを説明してきたが、永久磁石１５は必ずしも携帯電話機１に実装されている必要はない。
【００４８】
図７は、第４の変形例の説明図である。
【００４９】
図７のように、永久磁石１５を別に設け、携帯電話機１にはコイル１６のみが実装されているようにしてもよい。
この場合には、携帯電話機１又は永久磁石１５を動かすことによって発電することができる。
携帯電話機１に永久磁石１５を実装しなくて済むため、スペースの節約になるという効果がある。
【００５０】
以上の実施形態によれば、永久磁石１５が配設された第１筐体２と、コイル１６が配設され、第１筐体２と相対移動可能な第２筐体３と、を有している。
そして、第１筐体２又は第２筐体３内に配設され、永久磁石１５とコイル１６との相対移動に伴う電磁誘導によって発電された電力を蓄電するバッテリ部６０と、を有している。
また、第１筐体２と第２筐体３は第１の位置状態（閉状態）と第２の位置状態（閉状態）との間で相対移動可能である。
その上、第１の位置状態において、永久磁石１５とコイル１６が近接状態となり、第１の位置状態から前記第２の位置状態となるのに従い、第１筐体２の永久磁石１５と第２筐体３のコイルが近接状態から離間状態となる。
このような構成によって、携帯電話機１の開閉動作によって起電力を発生させる。そして、発生した電力を後述するバッテリ部６０に蓄電することができる。
また、バッテリ部６０に蓄えられた電力は、携帯電話機１の通話やその他の各種機能を作動させることに使用することができる。
携帯電話機１の開閉動作は、どのような場合においても可能であるから、充電機がない場合や電力が供給されない環境下であっても携帯電話機１のバッテリ部６０に充電できる。
このことは、災害時で電力供給が停止された状態においては特に威力を発揮する。
また、太陽電池パネルを携帯電話機１に設けることでは、地下や夜間などでは用いることができないが、本発明においてはそのような制約はなくなる。
【００５１】
また、第１筐体２と第２筐体３は蝶番状のヒンジ部９によって連結されており、第１筐体２のヒンジ部９と対向する縁辺側にはスピーカ１３が配設されている。
そして、第２筐体３のヒンジ部９と対向する縁辺側にはマイクロフォン１４が配設され、スピーカ１３の近傍に永久磁石１５が配設され、マイクロフォン１４の近傍にコイル１６が配設されている。
このような構成によって、折り畳み式の携帯電話機１に本発明の発電機構である永久磁石１５及びコイル１６を設置できる。
さらに、このような構成としたことによって、第１筐体２と第２筐体の開角度が小さくても、永久磁石１５とコイル１６との相対的位置を大きく変えられるのでより有利である。
【００５２】
また、第１筐体２及び第２筐体３は、摺動によって第１の位置状態と第２の位置状態をとり、第１筐体２の摺動方向の一端側に永久磁石１５が配設されている。
そして、第２筐体３の摺動方向の一端側で、第１の筐体において永久磁石１５が配設されている側と同一の側にコイル１６が配設されている。
その上、永久磁石１５は、第１筐体２と第２筐体３とが接合している面側に配設され、コイル１６は、第１筐体２と第２筐体３とが接合している面側に配設されている。
このような構成によって、スライド式の携帯電話機１に本発明の発電機構である永久磁石１５及びコイル１６を設置できる。
【００５３】
永久磁石１５は、平形形状であって、磁力線を一方の方向に集中させるコの字形のヨーク６１を有する。
このような構成によって、より強い磁力を発生させることができるのであるから、発生する起電力も多くすることができる。
また、平形形状としたことによって、より多くの磁力線を発生させることができる。
【００５４】
制御部５７は、コイル１６に発生する起電力を検出して、第１の位置状態であるか第２の位置状態であるかを検出する。
この様に構成したことによって、永久磁石１５とコイル１６とに、開閉検出機能を持たせることができるのであるから、従来開閉検出のために用いられていたホール素子を設ける必要がなくなる。
【００５５】
マイクロフォン１４又はスピーカ１３に組み込まれているコイル又は永久磁石のうち少なくともいずれか１つは、コイル１６又は永久磁石１５として作用する。
このような構成としたことによって、スピーカ１３又はマイクロフォン１４の部品を発電目的にも使用できるため、１つの部品が２つの機能を有することになり部品点数の節約、設置スペースの節約となる。
【００５６】
なお、以上の実施形態において、第１筐体２及び第２筐体３は本発明の筐体の一例である。つまり、筐体とは、携帯電子機器を収容する容器に該当するものであればどのようなものであってもよい。さらに、容器の一部、例えば、第１筐体フロントケース４、第１筐体リアケース５、第２筐体フロントケース６及び第２筐体リアケース７であっても筐体に該当する。
また、閉状態は本発明における第１の位置状態に該当し、開状態は本発明の第２の位置状態に該当する。
【００５７】
本発明は、以上の実施形態に限定されず、種々の態様で実施されてよい。
【００５８】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
さらにまた、本発明の第１の筐体及び第２の筐体は、携帯電話機１の本体である必要はなく、必要な時に取り付けられる添付部品であってもよい。
【００５９】
本発明の実施態様において、永久磁石１５とコイル１６との位置関係は逆に配置されていてもよい。
【符号の説明】
【００６０】
１…携帯電話機、２…第１筐体（第１の筐体）、３…第２筐体（第２の筐体）、４…第１筐体フロントケース、５…第１筐体リアケース、６…第２筐体フロントケース、７…第２筐体リアケース、８…表示部、９…ヒンジ部、１０…入力部、１１…右側面、１２…左側面、１３…スピーカ、１４…マイクロフォン、１５…永久磁石、１６…コイル、１７…コイル側コンデンサ、１８…バッテリ側コンデンサ、１９…順方向第１ダイオード、２０…順方向第２ダイオード、２１…逆方向第１ダイオード、２２…逆順方向第２ダイオード、２３…充電制御回路、５０…電源制御部、５１…通信部、５２…操作部、５３…音声入出力部、５５…撮像部、５６…記憶部、５７…制御部、６０…バッテリ部、６１…ヨーク
【図１】
2011049903.tif 000003
【図２】
2011049903.tif 000004
【図３】
2011049903.tif 000005
【図４】
2011049903.tif 000006
【図５】
2011049903.tif 000007
【図６】
2011049903.tif 000008
【図７】
2011049903.tif 000009